Podtech/llm-jp-corpus-v4-ja_patent huggingface dataset:
(57)【要約】【目的】  メガネとコンタクトレンズ、筆記用具、あるいは、いろいろな道具など複数の物を、大きさに合わせて自由に調整できる事によって、同時に収納でき、忘れ物、不便さを防止する万能箱を堤供する。【構成】  左壁（１）  右壁（２）に施した凹凸の溝と仕切り板を、１つ、あるいは複数備え、また鏡部（５）をも備える事も可能とする事が、特長とする【選択図】  図１
0003113329.tif 000002
【実用新案登録請求の範囲】
【請求項１】
左壁（１）  右壁（２）に施した溝に、仕切り板（３）をはめこむ事により、スペース（４）ができ、鏡部（５）をも備えもった万能箱である。
【考案の詳細な説明】
【考案の詳細な説明】
【０００１】      産業上の利用分野
この考案は、溝にそって、仕切り板をはめ込む事によって、いろいろな物を収納できる万能箱であり、メガネケースにも応用できる。
【背景技術】
【０００２】  従来、あらかじめ決められた、スペースのみでの収納、あるいは、メガネケースの場合、メガネ本体を１つしか収納できなかった。
【考案が解決しようとする課題】
【０００３】  これには、次のような欠点があった。
（イ）あらかじめ決められた、スペースに合うサイズの物しか収納できなかった為、効率が悪く無駄なスペースもあった。
（ロ）メガネケースにおいては、筆記の際、メガネケースとペンケースの２つを取り出さなければならなく、作業に労力を費やし、また、忘れものの１つにもなっていた。
（ハ）コンタクトレンズを外し、メガネに変える際も、メガネケースと、コンタクトレンズケースと鏡の３つを必要とした。
本考案は、これらの欠点を除くためになされたものである。
【課題を解決するための手段】
【０００４】      左壁（１）  右壁（２）に施した溝に、仕切り板（３）をはめこむ事により、スペース（４）ができる。そして、鏡部（５）をも備えてもよい。
本考案は、以上のような構成からなる万能箱である。
【作用】
【０００５】  左壁（１）  右壁（２）に施した溝に、仕切り板（３）をはめこむ事によりスペース（４）をつくる。そして、鏡部（５）をも備えてもよい。
【実施例】
【０００６】以下  本案と実施例について説明する
（イ）．左壁（１）  右壁（２）に、凹凸の溝を施す。
（ロ）．仕切り板（３）を、左壁（１）と右壁（２）の溝部分に、はめ込み固定する。
本案は、以上のような構成で、これを使用する時は、物の大きさにあわせてスペースを調整し、収納する。凹凸の溝と仕切り板を、複数備える事で、複数の物を同時に収納できる。
また、メガネケースに応用した場合は、メガネと筆記用具、あるいは、コンタクトケースを、同時に収納でる。凹凸の溝と仕切り板を、複数備えると全ての物の収納が可能である。
そして、鏡部（５）をも備えている事により、迅速に対応ができ、しかも、忘れ物もなくなる。
【考案の効果】
【０００７】  スペース部分が自由に、調整できる事で、収納が効率よく、また、迅速にでき無駄もなくなる。
また、メガネケースにおいては、必要な物全て収納可能であり、外出時にも１つのケースだけでよく、忘れ物もなくなり、また、鏡が備ってることで、コンタクト着脱の際、場所を選んだりする事がなく、安全かつ迅速に対応できる
また、筆記用具を収納しても良いなど、万能に対応する事ができる。
【図面の簡単な説明】
【図１】  本考案の斜視図である。
【符号の説明】
１  左壁
２  右壁
３  仕切り板
４  スペース部
５  鏡部
【図１】
0003113329.tif 000003
(57)【要約】      （修正有）【課題】ガラス瓶を収納及び携帯する箱を布製にし、重量の軽減と、瓶が割れる心配とを軽減し、瓶の中身の名称の判りさの便利性も図る布箱を提供する。【解決手段】布地とキルト芯を用いて、ガラス瓶個数分の桝目を作ることでガラス瓶の保護をし、軽さにも役立つ。さらに、そのガラス瓶個数分の桝目を収納する布製の外箱によっても軽さに役立つ。外箱の裏蓋に、瓶の中身の名称をデジタルプリントした布製の表を付けることで便利さに役立つ。【選択図】図２
0003113319.tif 000002
【実用新案登録請求の範囲】
【請求項１】
複数個のガラス小瓶等を収納携帯するための、複数個の桝目を、布、キルト芯によって製作し、その複数の桝目を、布製の外箱に付属させることによって、収納携帯時の瓶の保護、および軽さの軽減を図ったところ。及び、瓶の中身の名称の一覧表を、布地にデジタルプリントすることにより、使用者が中身の名称を確認出来る便利さを特徴とする桝目ガラス瓶用布箱。
【考案の詳細な説明】
【技術分野】
【０００１】  本考案は、複数個のガラス瓶等の収納及び携帯用に、布製複数桝目とデジタルプリント表を付属する布製箱に関するものである。
【背景技術】
【０００２】  アロマセラピー等が、精油を収納携帯する際、精油の入ったガラス瓶は、木製の桝目と外箱からなる木箱に、それらを収納及び携帯している。収納及び携帯するガラス瓶の中身を知りたい場合、瓶を木箱から取り出して確認している。
【考案の開示】
【考案が解決しようとする課題】
【０００３】  木箱は重量が大あり、また木製の桝目に瓶がぶつかり車等に乗せて運ぶと衝撃が大で瓶の割れる心配がある。従って、布製にすることにより、重さ、不安感の軽減が可能になり前述の欠点を解決しようとするものである。また、収納されている瓶の中身は瓶を取り出すまで確認できず不便であるが、表を付けることで解決しようとするものである。
【課題を解決するための手段】
【０００４】  本考案は、瓶を１本ずつ入れる桝目を、布地とキルト芯によって製作し、桝目を入れる外箱も、布地で製作することにより問題を解決している。
瓶の中身の名称一覧表を、布地にデジタルプリントしたものを裏蓋に付属することによって問題を解決している。
【考案の効果】
【０００５】  上述のように、木製の外箱、及び木製の桝目を、いずれも布製にすることで重量の軽減さを図り、布製の枡によってぶつかって割れる心配を軽減することにも役立っている。さらに、瓶の中身の名称の一覧表を、布製にデジタルプリントすることにより、瓶を取り出さずに、中身の名称を確認出来るという便利さに役立っている。
【考案を実施するための最良の形態】
【０００６】  まず、収納する１本のガラス瓶の直径から円周の長さを知り、１桝目の周囲の長さとする。ガラス瓶の個数分の桝目を製作する。その複数個の桝目が入る寸法の外箱を作る。
収納するガラス瓶の中身が決まっている場合は、その名称の一覧表を作成しデジタルプリントし外箱の裏蓋に縫い付ける。
【実施例】
【０００７】  以下、添付図面に従って一実施例を説明する。この円周の長さが１本分の布の横幅になる。（図１の１〜４、及び図２の１〜４に囲まれた部分）
布の全体の横幅は、１本の円周の長さ×瓶の個数に合わせる。
布の縦の長さはガラス瓶の高さ（図２の５）に合わせる。
瓶の数分の桝目を、布地にキルト芯を入れて製作する。
上面から見た場合が、図１となる。側面が図２となる。【０００８】  外箱も、箱の形体に、布地で製作する。
瓶の中身の名称一覧表を布地にデジタルプリントし、外箱の蓋の裏に縫付ける。（図３の６）【０００９】  布製桝目を入れた外箱には、携帯用に２本の取っ手を付ける。（図の７，８）
【図面の簡単な説明】
【００１０】
【図１】複数個の桝目の上面図である。
【図２】図１の側面図である。
【図３】外箱の蓋を開いた上、側面図である。
【図４】外箱の蓋を閉じた上、側面図である。
【符号の説明】
【００１１】  １〜４  １つの桝目の周囲
５    桝目の高さ
６    デジタル表
７，８  外箱の手提げ用紐
【図１】
0003113319.tif 000003
【図２】
0003113319.tif 000004
【図３】
0003113319.tif 000005
【図４】
0003113319.tif 000006
【手続補正書】
【提出日】平成17年5月13日(2005.5.13)
【手続補正１】
【補正対象書類名】実用新案登録請求の範囲
【補正対象項目名】請求項１
【補正方法】変更
【補正の内容】
【請求項１】
複数個のガラス小瓶等の収納携帯用に、複数個の桝目を布及びキルト芯によって製作し、その桝目を布製の外箱の内側に入れ、更に瓶の中身の名称の一覧表を布地にデジタルプリントし外箱の裏蓋に縫い付けた、桝目ガラス瓶用布箱。
(57)【要約】      （修正有）【課題】冬期間の墓石本体を最良の状態で保存する事が出来る防雪柵を提供する事。【解決方法】墓石本体を金属製、プラスチツク等のフレーム（１）、（２）で囲い、樹脂性の平板、パンチングメタル等の天板（３）を上部に取付け全体を防雪カバーで囲い易い形状で構成するものである。【選択図】図２
0003113317.tif 000002
【実用新案登録請求の範囲】
【請求項１】
フレーム（１）、（２）は金属製、プラスチツク等の材質で構成され、フレーム（１）は基礎に固定されるがフレーム（２）は上下にスライドする特徴の墓石防雪柵。
【考案の詳細な説明】
【技術分野】
【０００１】この考案は、墓石を雪から保護する墓石防雪柵に関するものである。
【背景技術】
【０００２】従来、雪に対しての対策は殆んど無く一部で墓石に直接カバーを取付ける方法が行われているのが一般的である
【考案の開示】
【考案が解決しようとする課題】
【０００３】上記に記載された雪対策方法は、墓石の一部（竿石）には有効ですが墓石全体では有りません。本発明は墓石全体を雪害から守る事が出来る墓石防雪柵を提供することを目的とする
【課題を解決するための手段】
【０００４】上記課題を解決するために、墓石全体を金属製、プラスチツク等のフレーム（１）、（２）で囲い、樹脂性の平板、パンチングメタル等の天板（３）を上部に取付け全体を防雪カバーで囲い易い形状を構成するものである。
【考案の効果】
【０００５】墓石が雪と直接触れる事が無い為、墓石自体または墓石間のコーキングの劣化を防ぐことで墓石自体を保護する事ができる。
【考案を実施ための最良の形態】
【０００６】金属製、プラスチツク等のフレーム（１）、（２）と樹脂性の平板、パンチングメタル等の天板（３）で構成される。フレーム（１）の下部は墓所のコンクリートにオールアンカーまたはケミカルアンカーで固定し断面の異なるフレーム（２）を上から差込む状態で上下にスライドできる機能を持ち、冬はフレーム（２）を上部にスライドしその上に天板（３）を取付けフレーム（１）、（２）全体に防雪カバーを囲い易い形状を保ち、冬以外は天板（３）を外しフレーム（２）を下げ３方を手摺りの状態で構成されるものである
【図面の簡単な説明】
【０００７】
【図１】冬季間以外の外観透視図である。
【図２】冬季間使用時の外観透視図である。
【図３】この考案の実施時の本体と墓石の関係を示す外観図である。
【符号の説明】
１    下部フレーム
２    上部フレーム
３    天板
【図１】
0003113317.tif 000003
【図２】
0003113317.tif 000004
【図３】
0003113317.tif 000005
【手続補正書】
【提出日】平成17年5月16日(2005.5.16)
【手続補正１】
【補正対象書類名】実用新案登録請求の範囲
【補正対象項目名】全文
【補正方法】変更
【補正の内容】
【実用新案登録請求の範囲】
【請求項１】
フレームは金属製、樹脂製等の下部、上部フレームで構成され下部フレームは柱脚を基礎に固定された４本の柱、上部フレームは前面を除く３面を水平材で１体化し４本の柱を下部フレームとは異なる径の材料を使用し  上下に摺動可能な機能を持ち指定された位置にピンで固定する機能の特徴を持つ墓石防雪柵。
(57)【要約】      （修正有）【課題】多種多様な柄、形を成型量産加工上、初期コストの削減、視覚的に斬新で継続的な流行にとらわれない形の飴の選定、多種多様にファッション小物、服飾付属に適するための材質に加工できる加工技術を提供する。【解決手段】・金太郎飴、丸玉飴などの飴菓子を樹脂で一度コーティングし、さらに様々な形状の樹脂に封入し小物パーツにしました。・飴菓子を一度樹脂コーティングし、さらに樹脂を封入していますので、中の飴菓子が破損、腐敗しにくくなっています。【選択図】図１
0003113313.tif 000002
【実用新案登録請求の範囲】
【請求項１】
金太郎飴、丸玉飴などの飴菓子を樹脂で一度コーティングし、  さらに様々な形状の樹脂に封入しました小物パーツです。
【考案の詳細な説明】
【技術分野】
【０１】本考案は視覚的にまた、ファッション性に楽しめる為に、飴菓子を樹脂でコーティングしたパーツに関することです。
【背景技術】
【０００２】食べ物以外のものを、樹脂で封入したパーツはありますが、飴菓子は全くありません。
【考案の開示】
【考案が解決しようとする課題】パーツの柄をプリントだと、立体感がなく、１柄ずつ成型パーツにしますと初期コストが高く種類が豊富に展開しにくいことが課題でした。
【課題を解決するための手段】金太郎飴、丸玉飴などの飴菓子を樹脂で一度コーティングし、さらに様々な形状の樹脂に封入しました小物パーツです。
【考案の効果】飴菓子の断面が、上下から見て視覚効果が高いものです。また通常金型成型で１つ１つ型をおこさなければならないものでコストがかなりかかるため、種類を増やせないのが実情でしたが、本物の飴を樹脂でコーティングしていますので、種類も豊富に展開できます。飴菓子を一度樹脂コーティングし、さらに様々な形状に樹脂で封入しますので、中の飴菓子は破損しにくく、腐敗の心配がありません。
【考案の実施するための最良の形態】
【実施例】
0003113313.tif 000003
【図面の簡単な説明】
【０００３】
【図１】正面図
【図２】上・下図（平面図）
【符号の説明】
【０００４】１．飴菓子
２．樹脂コーティング
【図１】
0003113313.tif 000004
【図２】
0003113313.tif 000005
【手続補正書】
【提出日】平成17年5月8日(2005.5.8)
【手続補正１】
【補正対象書類名】明細書
【補正対象項目名】全文
【補正方法】変更
【補正の内容】
【考案の詳細な説明】
【技術分野】
【０００１】本考案は視覚的にまた、ファッション性に楽しめる為に、飴菓子を樹脂でコーティングしたパーツに関するものである。
【背景技術】
【０００２】花、虫など食べ物以外のものを、樹脂で封入したパーツは現存するが、飴菓子は前例がないものである。
【考案の開示】
【考案が解決しようとする課題】本考案は第１に、多種多様な柄、形を成型量産加工上、初期コストがかかりすぎること、第２に視覚的に斬新で、継続的な流行にとらわれない形の飴の選定、第３に多種多様にファッション小物、服飾付属に適すための材質に加工できる加工技術の確保を課題とした。
【課題を解決するための手段】上記の目的を達成する手段として、意匠の金型をおこさずに、本物のあめを樹脂で一度コーティング固定し、それを様々な形状の樹脂に封入することで、本物のあめの種類のみで多種展開が可能となり、金型不要にて、初期コストの削減がはかれる。日常的に食す飴は、流行にとらわれず、特に金太郎あめ、丸玉あめは、あらゆる角度からも柄が見える形状から、視覚的に斬新で、樹脂で封入することで、本来の色より、より光沢が増して、美的感覚に優れたパーツが完成される。飴は砂糖素材にて、温度調整によって加工段階で溶けるといった試作を繰り返し溶けない温度加工を取得。樹脂も限定せず、多種多様なファッション小物や服飾付属に適した材質で封入する。
【考案の効果】飴菓子の断面が、上下から見て外観性を高める効果がある。また通常金型成型で１つ１つ型をおこさなければならないものでコストがかなりかかるため、種類を増やせないのが実情、本物の飴を樹脂でコーティングしているため、種類も豊富に展開できる。飴菓子を一度樹脂コーティングし、さらに様々な形状に樹脂で封入するため、中の飴菓子は破損しにくく、腐敗の心配がないものである。
【考案の実施するための最良の形態】
【実施例】        ・飴菓子を一度樹脂でコーティング。
・さらに様々な形状に飴菓子を樹脂でコーティング。
・本物の飴の入った樹脂パーツが完成。（図１・図２）
【図面の簡単な説明】
【０００３】
【図１】正面図
【図２】上・下図（平面図）
【符号の説明】
【０００４】        １．飴菓子
２．樹脂コーティング
(57)【要約】      （修正有）【課題】ゴルフ場にてカートに乗ってコースを戦略する際、容易に操作ができるコースガイド展示板を提供する。【解決手段】コースガイド展示板を取り付け板１によりフロント上部に取り付け、前面パネル２に取り付けて、１ホールごとにめくっていくようにする。【選択図】図１
0003113314.tif 000002
【実用新案登録請求の範囲】
【請求項１】
ゴルフ場のカート向けコースガイド固定型展示板。カートの座席正面中央のフロントガラス上部に取り付け、              プレーヤーは前部座席、後部座席全員が見えることを特徴とするコースガイド展示板である。
【考案の詳細な説明】
【技術分野】
【０００１】
本考案は、ゴルフ場にてカートに乗ってコースを戦略する際、容易に操作ができるコースガイド展示板である。
【０００２】
カートに乗るプレーヤー全員が観やすいフロントガラスの上部に取り付け、カートに乗車の際、邪魔にならないことである。
【０００３】
展示板にコースガイドの印刷物を置かない場合、透明ポリカーボネイト樹脂を使うことにより、前が見えるようにし、尚、屋外で使用しても耐候性がよく割れにくくなっている。
【非特許文献１】スガツネ工業株式会社  総合カタログNO.１５０
【考案の開示】
【考案の効果】
【０００４】
コースガイド展示板をカート上部のフロントガラス前に設置することにより、プレーヤー全員が観ることができる利点がある。
【考案が解決しようとする課題】
【０００５】
セルフでプレーをする場合、コースを知らないプレーヤーは攻略に困る。
【課題を解決するための手段】
【０００６】
コースガイド展示板があれば知らないコースでも攻略ができることを特徴とする。
【考案を実施するための最良の形態】
【０００７】
カートによりプレイをする場合、キャディ無しでプレイするにふさわしい展示板である。
【実施例】
【０００８】
図１は、コースガイド展示板を詳細項目（１）の取り付け板によりフロント上部に取り付け、（２）の前面パネルに（３）のコースガイドを取り付けて、１ホールごとにめくっていくようにし、 
プレーヤー全員が観えるよう正面に提示した場合である。
【図面の簡単な説明】
【０００９】
【図１】コースガイド展示板を使用したときの正面図である。
【符号の説明】
【００１０】
１      カートにつける取り付け板（ステンレス）
２      前面パネル（ポリカーボネイト樹脂）
３      コースガイド（印刷物をパウチしたもの）
【図１】
0003113314.tif 000003
【手続補正書】
【提出日】平成17年3月29日(2005.3.29)
【手続補正１】
【補正対象書類名】実用新案登録請求の範囲
【補正対象項目名】補正の内容のとおり
【補正方法】変更
【補正の内容】
0003113314.tif 000004
0003113314.tif 000005
0003113314.tif 000006
【手続補正書】
【提出日】平成17年6月2日(2005.6.2)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
カートの座席正面中央のフロントガラス上部にコースガイド展示板を取り付けたカート。
【手続補正２】
【補正対象書類名】明細書
【補正対象項目名】全文
【補正方法】変更
【補正の内容】
【考案の詳細な説明】
【技術分野】
【０００１】本考案は、ゴルフ場にてカートに乗ってコースを戦略する際、容易に操作ができるコースガイド展示板である。【０００２】カートに乗るプレーヤー全員が観やすいフロントガラスの上部に取り付け、カートに乗車の際、邪魔にならないことである。【０００３】展示板にコースガイドの印刷物を置かない場合、透明ポリカーボネイト樹脂を使うことにより、前が見えるようにし、尚、屋外で使用しても耐候性がよく割れにくくなっている。
【非特許文献１】スガツネ工業株式会社  総合カタログＮＯ．１５０
【考案の開示】
【考案の効果】
【０００４】コースガイド展示板をカート上部のフロントガラス前に設置することにより、プレーヤー全員が観ることができる利点がある。
【考案が解決しようとする課題】
【０００５】セルフでプレーをする場合、コースを知らないプレーヤーは攻略に困る。
【課題を解決するための手段】
【０００６】コースガイド展示板があれば知らないコースでも攻略ができることを特徴とする。
【考案を実施するための最良の形態】
【０００７】カートによりプレイをする場合、キャディ無でプレイするにふさわしい展示板である。
【実施例】
【０００８】図１は、コースガイド展示板を詳細項目（１）の取り付け板によりフロント上部に取り付け、（２）の前面パネルに（３）のコースガイドを取り付けて、１ホールごとにめくっていくようにし、プレーヤー全員が観えるよう正面に提示した場合である。
【図面の簡単な説明】
【０００９】
【図１】コースガイド展示板を使用したときの正面図である。
【符号の説明】
【００１０】１    カートにつける取り付け板（ステンレス）
２    前面パネル（ポリカーボネイト樹脂）
３    コースガイド（印刷物をパウチしたもの）
【手続補正３】
【補正対象書類名】図面
【補正対象項目名】全図
【補正方法】変更
【補正の内容】
【図１】
0003113314.tif 000007
(57)【要約】      （修正有）【課題】墓石本体を最良の状態で保存する事が出来る保護柵を提供する事。【解決方法】墓石本体を金属製、プラスチツク等のフレーム（１）、（２）で囲い、樹脂性の平板、パンチングメタル等の天板（３）を上部に取付け全体を防雪カバーで囲い易い形状で構成するものである。【選択図】図１
0003113316.tif 000002
【実用新案登録請求の範囲】
【請求項１】
フレーム（１）、（２）は金属製、プラスチツク等の材質で構成され、墓石全体を覆う水平、アーチ、切妻等の形状としフレーム（１）の下部は基礎に固定されフレーム（２）は前面を除く３方に設け地震時における被害を最小限に防げる特徴の墓石保護柵。
【考案の詳細な説明】
【技術分野】
【０００１】この考案は、墓石を雨、雪、野鳥の糞、樹液、地震から保護する墓石保護柵に関するものである。
【背景技術】
【０００２】従来、墓石保護の対策は殆んど無く、一部の地域で雪害に対して墓石に直接カバーを取付ける方法が行われている。
【考案の開示】
【考案が解決しようとする課題】
【０００３】上記に記載された雪対策方法は、墓石の一部（竿石）には有効ですが墓石全体では有りません。本考案は墓石全体を雪害から守る事が出来、また雨、野鳥の糞、樹液、地震からも保護することを目的とする。
【課題を解決するための手段】
【０００４】上記課題を解決するために、墓石全体を金属製、プラスチツク等のフレーム（１）、（２）で囲い、樹脂性の平板、パンチングメタル等の天板（３）を上部に取付け全体を防雪カバーで囲い易い形状を構成するものである。
【考案の効果】
【０００５】墓石が雪と直接触れる事が無い為、墓石自体または墓石間のコーキングの劣化を防ぐことで墓石自体を保護する事ができる。またフレーム（２）、を設けることにより地震時における被害を最小限に防ぎ、上部の天板（３）が雨、野鳥の糞、樹液を直接墓石に当らない様に保護する事ができる。
【考案を実施ための最良の形態】
【０００６】金属製、プラスチツク等のフレーム（１）、（２）と樹脂性の平板、パンチングメタル等の天板（３）で構成される。フレーム（１）の下部は墓所のコンクリートにオールアンカーまたはケミカルアンカーで固定しフレー（２）は地震時に墓石の竿石が倒れ落ちない高さに水平に取付け、フレーム（１）の上部には天板（３）を設けてフレーム（１）全体に防雪カバーを  囲い易い形状で構成されるものである
【図面の簡単な説明】
【０００７】
【図１】外観透視図である。
【図２】正面図
【図３】側面図
【図４】この考案の実施時の本体と墓石の関係を示す外観図である。
【符号の説明】
１    主フレーム２    水平フレーム３    天板４    アンカーボルト
【図１】
0003113316.tif 000003
【図２】
0003113316.tif 000004
【図３】
0003113316.tif 000005
【図４】
0003113316.tif 000006
【手続補正書】
【提出日】平成17年5月16日(2005.5.16)
【手続補正１】
【補正対象書類名】実用新案登録請求の範囲
【補正対象項目名】全文
【補正方法】変更
【補正の内容】
【実用新案登録請求の範囲】
【請求項１】
墓石全体を覆うフレームは金属製、樹脂製等の材質で柱脚を基礎に固定された４本の柱と上部の形状を水平、アーチ、切り妻状で形成し、天板に樹脂性の平板、パンチングメタル等を取付け、前面を除く３面につなぎ材を水平に設けた特徴の墓石保護柵。
(57)【要約】      （修正有）【課題】運転時おける腕の運動量、シートベルト収納、機能的なポケットを有することによって、上衣の運転時着用に実用性・機能性・おしゃれ感を持たせる。【解決手段】本考案は、運転時の不便で不快な着用感を運転動作の腕の運動量をパターン上で加味し、シートベルトの表生地擦れをブレストパッチで挟み込むことによって防止し、より使いやすい位置に隠しポケットを作り、運転時に使いにくい脇ポケットをふらす。【選択図】図４
0003113315.tif 000002
【実用新案登録請求の範囲】
【請求項１】
運転時に腕のフィット感があり且つ運動機能のある上衣。
【請求項２】
シートベルトによる表地の摩耗を防止する上衣。
【請求項３】
運転時の多目的収納を有する上衣
【考案の詳細な説明】
【技術分野】
【０００１】  本考案は、運転時の着用に適した上衣に関するものである。
【背景技術】
【０００２】  従来の上衣は、腕を下ろした状態の設定位置で作られていて、運転時の腕の運動量やシートベルト着用や座った状態等での着用考慮が成されていない。
【考案の開示】
【考案が解決しようとする課題】
【０００３】  運転時に上衣を着用すると、腕の動きに窮屈感があったりシートベルトで表生地が傷んだり運転中にポケットに物が入れにくいという問題があり、どうしても大きめな上衣を着るか、腕の太い上衣を着るか、上衣を脱がなければいけないという問題があった。そこで運転時に着用しても動きやすく便利な上衣を提供することを目的とする。
【課題を解決するための手段】
【０００４】  本考案は、運転時の腕の動きをデザイン・パターン上で加味し、運転時の腕の運動量を確保し、シートベルトによる表地の擦れを表地の裏に挟み込むことによって防ぎ、収納機能はフロント釦間に隠しポケットを付けたり座った時の脇ポケット下部のみを取り外し可能にする事によって課題を解決している。
【考案の効果】
【０００５】  運転時の腕の動きがスムーズになることによって、細身でシャープな上衣の運転時着用も可能になり、上衣着用のままでの運転時の腕の運動量も確保され、シートベルトによる表地の痛みも軽減され、機能的なポケットにより運転時の着用利便性も改善され、オシャレと実用の両面からの効果が得られる。
【考案の実施するための最良の形態】
【０００６】  従来の上衣は、直立した状態で腕を下げて腕の位置を設定し、イセコミ・コロシコミ・クセ取りという技術によって、前肩にしたり平面的な生地を立体的にしたり、ダーツ・ヨーク・キリカエシによって、着用感アップと手や体の動きの運動量の不足を補っていたが、運転時の腕の動きや座った状態での諸機能は考えられてはいない。そこで、運転時の腕の動きをパターン上で加味し動きやすさを出し、着用時シートベルトを肩から胸にかけて表地で挟み込むことで生地の擦れによる傷みを防止し、フロント釦に隠しポケットを付けたり脇ポケットの下部を縫い付けないでボタン留めにすることによって着用時の収納機能を確保し、上衣を着用した運転時の機能性・利便性を生み出している。
【実施例】
【０００７】  以下、添付図面に従って一実施例を説明する。図１は山袖の設定位置で腕を下に下ろした状態で図２は運転時にある動作でもっとも右手が左上に行っている状態である。一般的にジャケット着用の運転時に図１から図２への動きに窮屈感が感じられるのは、図２の状態でした袖の距離が不足している事に起因している。その不足分を補うために図２の状態で設定した下袖をＶ字に裁断し身頃はそれよりも少し鋭角なＶ字を作り図３の様にＶ字で身頃と縫い合わせることによって運転時の腕の運動量を確保している。【０００８】  図４はこの上衣を着て運転した状態で前身の肩から胸の部分のもっともシートベルトに擦れる部分をブレストパッチで挟み込む事で表地の摩耗を防いでいる。図５のように滑りが良く且つ摩耗に強い別布でブレストパッチの中を作り、肩は肩線に沿ってファスナーで留め、身頃は隠しドット釦で身頃とブレストパッチを留める。シートベルト着用時に肩のファスナーを外し、隠しドット釦も外して、シートベルトの上にブレストパッチを置いて再び隠しドット釦で留めて着用し運転する。【０００９】  図６のように、運転時にチケットなどを入れやすいポケットとしてフロント釦部分に隠しポケットを設定する。【００１０】  通常、運転時の上衣の脇ポケットは、座った時に上衣の裾を巻き込んだりシワの状態になったりで物が入れにくいので、図７のように脇ポケットのポケット口のみ身頃に縫い付け下部をフラシの状態にして、ブレストパッチと同様隠しドット釦で留めることで座った時にドット釦を外しポケットの収納を確保する。
【図面の簡単な説明】
【００１１】
【図１】  一般的な上衣設定位置の図である。
【図２】  右腕を左側上部へあげた状態の図である。
【図３】  脇下のＶ字接合袖の図である。
【図４】  ドライバーズ・ドライビング・ジャケット着用の図である。
【図５】  ブレストパッチの図である。
【図６】  フロントエッジポケットの図である。
【図７】  脇ポケット（スウィングポケット）の図である。
【図１】
0003113315.tif 000003
【図２】
0003113315.tif 000004
【図３】
0003113315.tif 000005
【図４】
0003113315.tif 000006
【図５】
0003113315.tif 000007
【図６】
0003113315.tif 000008
【図７】
0003113315.tif 000009
【手続補正書】
【提出日】平成17年5月19日(2005.5.19)
【手続補正１】
【補正対象書類名】実用新案登録請求の範囲
【補正対象項目名】全文
【補正方法】変更
【補正の内容】
【実用新案登録請求の範囲】
【請求項１】
山袖は、腕を真下におろして少し肘を曲げた状態と、下袖は運転時にハンドルをいっぱい回した時の状態の別設定パータンを縫い合わせる立体的な縫製によって、運転時にフィット感と運動機能を有する上衣。
【請求項２】
肩はファスナーで衿下を隠しドットボタンで留め、袖・脇を縫い込まれた別布で、シートベルトを挟み込むことによって、シートベルトによる表地の摩耗を防止する上衣。
【請求項３】
運転時の腹部シートベルトによって脇ポケット使用が困難にならないように、脇ポケット上部は縫い込み、下部裏はホックで身頃に取り付け、運転時はホックを外して腹部シートベルトの上に出すことによって、脇ポケットを使用可能にし、更に運転時に最も使いやすい部分としてフロント前端釦間部分に隠しポケットを作ることによって、運転時の多目的収納を可能にした上衣。
(57)【要約】      （修正有）【課題】一人で帯を結ぶ時、帯と帯枕を一度に持つのが容易で帯の模様が思うように出来、早く簡単に綺麗に結ぶことが出来るクリップ付借紐を提供する。【解決手段】帯をしめる前に帯の模様の出したい所の約１０ｃｍ位上（帯枕の高さ）をクリップ付仮紐で、止める帯を手が下、たれが上になるように結び、クリップ付仮紐を帯枕のいちまで上げ前で結ぶ  次に帯枕を乗せる。一度の作業を二度に分ける。【選択図】図２
0003113311.tif 000002
【実用新案登録請求の範囲】
【請求項１】
クリップ付き仮紐
【考案の詳細な説明】
【技術分野】帯を結ぶ時、帯と帯枕を一度にのせるのが難しい為、帯を結ぶ前に紐付きクリップに図１を取り行け、帯枕を乗せる前に仮紐として使う。
［背景技術］簡単に帯を結べないか考えた。
［考案の開示］
［考案が解決しようとする課題］【０００１】一人で帯を結ぶ時、帯と帯枕を一度に持つのが大変。帯の模様が思うように出ない。腕がきつく時間がかかる。少しでも早く簡単に綺麗に結べないか。
［課題を解決するための手段］【０００２】帯の模様の出したい所、１０ｃｍ位上（帯枕の高さ）を紐付きクリップ図１で止める
帯を２回ウエストに巻き、手が下たれが上になるようにねじり、腰紐で止める  その上にクリップ▲２▼と仮紐▲１▼を持ち帯枕のいちまであげて、仮紐▲１▼を前で結ぶ  次に帯枕をのせる  一度の作業を二度に分ける。
［考案の効果］【０００３】帯枕のいちをクリップ▲２▼と仮紐▲１▼で決めて次に帯枕を乗せるのでラク。一度クリップ▲２▼のいちを決めれば何度でも同じいちに模様がくる。二重太鼓はたれの長さが決め易い。
【図面の簡単な説明】
【０００４】［図１］
クリップ付仮紐
［図２］
名古屋帯の場合
［図３］
二重太鼓の場合
【符号の説明】
【０００５】１    ひも
２    クリップ
３    力布
【図１】
0003113311.tif 000003
【図２】
0003113311.tif 000004
【図３】
0003113311.tif 000005
(57)【要約】【課題】カードの磁気情報を非接触型の手法により不正に読み取るスキミング犯罪を防止する【解決手段】カードの磁気情報を読み取る電波類を遮断する材質のシート及びケース類【選択図】図１
0003113320.tif 000002
【実用新案登録請求の範囲】
【請求項１】
カードの磁気情報を読み取る電波類を遮断する材質のシート及びケース類
【考案の詳細な説明】
【技術分野】
【０００１】本考案はカードの磁気情報読み取りを防止するための遮断シート類である。
【背景技術】
【０００２】従来本考案に属するものは無い。
【考案の開示】
【考案が解決しようとする課題】
【０００３】カードの磁気情報を非接触型の手法により不正に読み取るスキミング犯罪を防止する。
【課題を解決するための手段】
【０００４】カードの磁気情報を読み取る電波類を遮断する材質のシート及びケース類
【考案の効果】
【０００５】スキミング犯罪の防止効果。
【考案を実施するための最良の形態】
【実施例】
【０００６】本考案のシートをカードの表裏に重ねて保持する【０００７】本考案のシートをカードケース状にして、カードをその中に格納する【０００８】財布や鞄の本体内部に本考案のシートを組み込み、その財布や鞄に格納したカードは保護される
【図面の簡単な説明】
【０００９】
【図１】磁気情報盗難電波類を遮断する材質のカードサイズのシート
【図２】磁気情報盗難電波類を遮断する材質のカードサイズの袋
【図３】磁気情報盗難電波類を遮断する材質の財布及び鞄サイズのシート
【図１】
0003113320.tif 000003
【図２】
0003113320.tif 000004
【図３】
0003113320.tif 000005
【手続補正書】
【提出日】平成17年5月11日(2005.5.11)
【手続補正１】
【補正対象書類名】実用新案登録請求の範囲
【補正対象項目名】全文
【補正方法】変更
【補正の内容】
【実用新案登録請求の範囲】
【請求項１】
カードの磁気情報を読み取る電波類を遮断する材質のシート
【請求項２】
カードの磁気情報を読み取る電波類を遮断する材質のケース
(57)【要約】      （修正有）【課題】本考案は、冷蔵庫内に収蔵された食品名、およびその食品の賞味期限カレンダーを、冷蔵庫内部を確認せずにすむよう、外部に表示をする。【解決手段】磁石加工した５角形１２面体ボタンを、基本的には四個組み合わせて、１ユニットとして使用するが、うちわけとして、１２面体ボタン２では食品名の絵、もしくは食品名の文字を各面に一種類ずつ記し、全面で十二種類の食品名を表示する機能を有するもので、１２面体ボタン３では、９の数字を除き、０から１２までの数字を記したボタンを、三個並べ組み合わせることで、数字がカレンダーとして、読み取れる機能を有すものであり、該、除いた９の数字は６の数字を１８０度回転させることで共用するものであるが、上述のことから、四個の１２面体ボタンを１ユニットとして、冷蔵庫の扉表面などに並べ貼り付けることで、食品名と、賞味期限カレンダー表示の機能を有する。【選択図】図１
0003113356.tif 000002
【実用新案登録請求の範囲】
【請求項１】
各面すべて磁石加工した、５角形１２面体ボタンの各面に、異なった食品の絵、または食品の名称を文字で記して、冷蔵庫などの扉表面に貼り付けることにより、扉表面と平行になる面で、一食品の絵、または一食品の名称を、表示することができることを特徴とした、食品名および賞味期限カレンダー表示ボタンと、各面すべて磁石加工した、５角形１２面体ボタンの各面に、０から１２までの数字のうち、９の数字を除いた数字を、重複しないように一数字ずつ記し、冷蔵庫などの扉表面に貼り付けることにより、扉表面と並行になる面で、数字を表示するのであるが、除いた９の数字の代用には、６の数字を１８０度回転させることで、同じ形容になるため、９を省略したものであり、このことから数字ボタン一個で、１月から１２月までのカレンダー月の、数字を表示することができ、また数字ボタンを二個並べ組み合わせることで、０１から３１までのカレンダーの、日にちの数字を表示する事ができるボタンであり、該、食品名表示ボタン一個と、該、数字表示ボタン三個の、合計四個を１ユニットとして使うことにより、十二種類の食品名の中の一食品名と、一賞味期限カレンダーを表示することができる、食品名および賞味期限カレンダー表示ボタン。
【考案の詳細な説明】
【技術分野】
【０００１】  本考案は、家庭用の冷蔵庫において、扉表面に冷蔵庫収蔵食品名、および賞味期限を外部に表示するための、表示具に関するものである。
【背景技術】
【０００２】  従来の冷蔵庫においては、冷蔵庫内の食品名、および賞味期限カレンダー等を、外部に表示するための表示機能を、有していなかった。
【考案の開示】
【考案が解決しようとする課題】
【０００３】  冷蔵庫内部に収蔵されている食品名、および賞味期限を調べるときは、冷蔵庫の扉を開いて確認する必要があったが、特に、冷蔵庫内にたくさんの食品を収蔵しているときは、食品在庫の有無がわかりにくいため、賞味期限が超過していても、見のがすことが多い。
本考案は、上記のような問題点を、解決しようとするものである。
【課題を解決するための手段】
【０００４】  本考案は、冷蔵庫内部に収蔵されている食品の品名を、絵や文字で扉表面に表示する手段と、その賞味期限カレンダーを、扉表面に表示する手段であり、また賞味期限が記載されていない食品に対しては、暫定的に、好みの日にちをカレンダー表示することにより、従来の問題点を解決している。
【考案の効果】
【０００５】  上述のように、本考案の冷蔵庫収蔵食品の品名、および賞味期限カレンダーは、冷蔵庫の扉を開けて中を見ることなく、食品の収蔵確認と、賞味期限確認が撤底できることにより、省エネおよび食中毒予防に役立つことができる。
【考案を実施するための最良の形態】
【０００６】  冷蔵庫の扉表面に、磁石加工した５角形１２面体の食品名表示ボタン一個と、数字表示ボタン三個、合計四個の表示ボタンで１ユニットとし、一種類の食品名と、一種類の賞味期限カレンダーを表示することができ、また四個の表示ボタンの並べ方は、好みや気分によって自由に並べることができる。
【実施例】
【０００７】  以下、添付図面に従って実施例を説明する。
１は市販されている冷蔵庫本体であり、２は各面を磁石加工した５角形１２面体で、食品名を表示するボタンであり、３は各面を磁石加工した５角形１２面体で、数字を表示するボタンであるが、食品名表示ボタン２を一個と、数字表示ボタン３を三個、合計四個で１ユニットとし、一種類の食品名と一種類の賞味期限カレンダーを表示し、該、ユニットの数を増すことによりユニットの数と比例して、食品名、および賞味期限カレンダー表示の種類を増すことができる。
【図面の簡単な説明】
【０００８】
【図１】２は本考案の、磁石加工した５角形１２面体食品名表示ボタンの、平面図である。３は本考案の、磁石加工した５角形１２面体数字ボタンの、平面図、正面図である。
【図２】本考案の、実施例を示した斜視図である。
【符号の説明】
【０００９】１  冷蔵庫本体
２  食品名表示ボタン
３  数字表示ボタン
【図１】
0003113356.tif 000003
【図２】
0003113356.tif 000004
【手続補正書】
【提出日】平成17年5月16日(2005.5.16)
【手続補正１】
【補正対象書類名】実用新案登録請求の範囲
【補正対象項目名】請求項１
【補正方法】変更
【補正の内容】
【請求項１】    各面すべて磁石加工した、５角形１２面体ボタンの各面に、異なった食品の絵、または食品の名称を文字で記し、冷蔵庫などの扉表面に貼り付けることにより、扉表面と平行になる面で食品の絵、または食品の名称を、表示することができることを特徴とした、食品名表示ボタンと、各面すべて磁石加工した、５角形１２面体ボタンの各面に、０から１２までの数字のうち、９の数字を除いた数字を、重複しないように一数字ずつ記し、冷蔵庫などの扉表面に貼り付けることにより、扉表面と平行になる面で、数字を表示するボタンであるが、除いた９の数字の代用には、６の数字を１８０度回転させることで、おなじ形容になるため共用するものであり、このことから数字表示ボタン一個で、１月から１２月までのカレンダー月の数字を表示することができ、また、数字表示ボタンを二個並べ組みあわせることで、０１から３１までの、カレンダーの日にちとなる数字を表示することができることを特徴とした、数字表示ボタンであり、該、食品名表示ボタン一個と、該、数字表示ボタン三個、合計四個を１ユニットとして使用することで、１２面の中より選定した食品名と、その賞味期限カレンダーを表示することができる、食品名および賞味期限カレンダー表示ボタン。
(57)【要約】      （修正有）【課題】幼児が安定して浮き輪に捕まっていられるようにする。【解決手段】バックル１、アジャスター２、シート４を取り付けたベルト３を、浮き輪５に付けられるようにした。【選択図】図２
0003113351.tif 000002
【実用新案登録請求の範囲】
【請求項１】
ベルト３に、バックル１、アジャスター２、シート４を取り付け、浮き輪５に取り付けられる幼児用シート。
【考案の詳細な説明】
［考案の開示］
［考案が解決しようとする課題］
【０００１】幼児が浮き輪の輪の中へ滑り落ちるという危険や、それを防ぐため保護者の支えが必要という問題点を有していた。
［課題を解決するための手段］
【０００２】上記目的を達成するために、シート付きベルトを浮き輪に取り付けられるようにした。
［考案の効果］
【０００３】幼児が安定して浮き輪に捕まっていられる。
【図面の簡単な説明】
【０００４】［図１］浮き輪専用チャイルド・シート本体である。
［図２］浮き輪専用チャイルド・シートを浮き輪へ取り付け、横から見た図である。
［図３］浮き輪専用チャイルド・シートを浮き輪へ取り付け、真上から見た図である。
【符号の説明】
【０００５】１バックル
２アジャスター
３ベルト
４シート
５浮き輪
【図１】
0003113351.tif 000003
【図２】
0003113351.tif 000004
【図３】
0003113351.tif 000005
(57)【要約】      （修正有）【課題】照明カバーを兼ね、室番号、名前、インターホン子機及び雨水で濡れない新聞受けを備えている照明カバー式玄関インターホーンパネルの提供。【解決手段】壁面に設置した照明７の前に、上部ガラス等の板１とインターホン子機プレート２と下部ガラス等の板を玄関収納ボックス４及びジョイント金具６で固定して、壁面の照明によって照りだされる上部ガラス等の板の表面にカッティングシート等で出来た室番号８や名前９等を貼る、壁面と離れた下部ガラス等の板とのスペースを新聞受けとして使用する。【選択図】図１
0003113354.tif 000002
【実用新案登録請求の範囲】
【請求項１】
壁面に照明器具を設置した前面にガラス又はアクリルやポリカーボ、コーリアン等の透光性のある板にインターホン子機を組込み室番号及び名前を設けると共に新聞を受けるスペースを持つ、照明カバー式玄関インターホンパネル
【考案の詳細な説明】
【技術分野】
【０００１】  本考案は玄関の周辺に必要な機能を組み込んだ、照明カバーを兼業する玄関インターホンパネルに関するものである。
【背景技術】
【０００２】  集合住宅の玄関扉の横の壁面に照明、室番号、名札、インターホン子機、新聞受、傘立て等一体化した玄関インターホンパネルを設置する場合が多いが玄関インターホンパネルの基本素材は金属のみ又は金属及びプラスチックや木製との組み合わせなどがある。
【考案の開示】
【考案が解決しようとする課題】
【０００３】    玄関インターホンパネルの裏面に照明器具を取付けることにより内照式の玄関インターホンパネルとした。
【課題を解決するための手段】
【０００４】    壁面に照明を設け、その前面に透光性の有るガラス板等とインターホン子機及び子機プレートと組合せた玄関インターホンプレートを取り付ける事により、照明カバーを兼ねることになり解決している。
【考案の効果】
【０００５】    上述の様に本考案は、玄関インターホンパネルの室番号、名前、インターホン子機の機能をそなえ、照明カバーを兼ねる、更に壁面と玄関インターホンパネルのガラス板等との隙間を雨水にさらされない新聞受のスペースとして利用出来る。
【考案を実施するための最良の形態】
【０００６】  壁面の照明によりガラス板に室番号及び名前が照らし出され離れた場所より見やすく確認しやすくなっている、インターホン子機は点検及び修理しようとするときには、インターホン子機プレートを取り外すことによりインターホン子機を取り出すことが出来る。
【実施例】
【０００７】  以下、本考案の実施の形態を図１〜図２に基づいて説明する。照明カバー式玄関インターホンパネルは、上部のガラス等の板１で、中央部にあるインターホン子機プレート２とインターホン子機３を収納するインターホン子機ボックス４で出来ており、下部のガラス等の板５で構成されている、インターホン子機が入る厚みの有るインターホン子機収納ボックスを壁面に取付けて、上部と下部のガラス板等を壁面にジョイント金具６で固定する。【０００８】  壁面に設置した照明７の前面のガラス板１に照明で照らし出されている位置にカッティングシートなどで出来ている室番号８及び名前９を貼る。【０００９】  下部のガラス板等５と壁面の隙間を新聞受けのスペース１０とする、壁面が新聞などのインクで汚れないように新聞受け背板１１を設置する。
【図面の簡単な説明】
【００１０】
【図１】照明カバー式玄関インターホンパネルの正面及び側面図
【符号の説明】
【００１１】      １  上部のガラス等の板
２  玄関インターホン子機プレート
３  玄関インターホン子機
４  玄関インターホン子機ボックス
５  下部のガラス等の板
６  ジョイント金具
７  照明
８  室番号
９  名前
１０新聞受けのスペース
１１新聞受け背板
【図１】
0003113354.tif 000003
(57)【要約】      （修正有）【課題】ピザ等を切る時に、切りやすく、等分に出来る皿を提供する。【解決手段】縁２に切れ目３を設ける。【選択図】図１
0003113355.tif 000002
【実用新案登録請求の範囲】
【請求項１】
皿の周りに切り込みを入れたことを特徴とする皿。
【考案の詳細な説明】
【技術分野】
【０００１】  この考案は、ピザ等の皿に用いる形状に関する。
【背景技術】
【０００２】  従来のピザ等の皿は、図２に示すように、皿の本体１の周りに縁２が設けられたものである。
【考案の開示】
【考案が解決しようとする課題】
【０００３】  しかしながら、以上の技術によれば、ピザ等を切る時に縁の段差が邪魔になり、たいへん切りにくく、等分にも出来なかった。
そこで、この考案は、切りやすく、等分に出来る皿を提供することを課題とする。
【課題を解決するための手段】
【０００４】  以上の課題を解決するために、この考案は、皿の縁に切れ目を入れることを特徴とする皿である。
【考案の効果】
【０００５】  皿の縁に切れ目を設けたので、切りやすく、等分にしやすい。
【考案を実施するための最良の形態】
【０００６】  この考案の一実施形態を、図１に示す。
皿の本体１は木、陶器、ガラス製等であり、縁２に切れ目３が等分に設けられている。【０００７】「実施形態の効果」
この実施形態によれば、切れ目３の働きで、ピザ等を切る時に刃を切れ目３に沿って切れば切りやすく、等分割できる。【０００８】「他の実施形態」
図１の実施形態では、切れ目３は８等分あるが、他の実施形状では用途に応じて何分割のものでもよい。
【図面の簡単な説明】
【０００９】
【図１】この考案の一実施形態を示す斜視図である。
【図２】従来技術を示す斜視図である。
【符号の説明】
【００１０】  １  皿本体      ２  皿の縁      ３  切れ目
【図１】
0003113355.tif 000003
【図２】
0003113355.tif 000004
(57)【要約】【課題】  本考案は閂の片端に咬合部を設け、扉の外部から一操作で閂の両端が相対する二箇所を同時に施錠可能にすることにより、家具等の扉の閉扉時を常時施錠状態に保つことを容易にする。【解決手段】  扉の表面に７、裏面に６を取付ける、１を家具等の内部天板と底板に合わせて長さを調節し、扉の裏面に６のガイドアーム間に挾まれる形状に４用いて取付ける、２を３を１の両端との位置の調整をしながら取付ける。６の扉表面露出部に７を取付ける。７を引くと扉の上下が解錠され、押し込めば施錠されるので、閉扉時を常時施錠状態に保つことが容易になり、予測し難い激震等の強い衝撃でも開扉することなく地震災害対策として役立つ。【選択図】  図１
0003113375.tif 000002
【実用新案登録請求の範囲】
【請求項１】
閂の片端に咬合部を設け、扉の外部から一操作で閂の両端を用いて相対する二箇所を同時に施錠又は解錠できる家具扉等用の閂
【考案の詳細な説明】
【技術分野】
【０００１】  一操作にすることより相対する２個所を同時に施錠又は解錠できる閂に関するものである。
【背景技術】
【０００２】  従来食器棚等の扉外部より扉内側の相対する２ケ所を一操作でロックする時は、歯車等複雑な装置又は他の動力装置を使う必要があった。
【考案の開示】
【考案が解決しようとする課題】
【０００３】  歯車等複雑な装置や他の動力装置は、多く部品で構成されているため費用が嵩むと共に取付るには手間が掛りスペースも必要であったが、本考案は閂の一端に咬合部分を設けることにより、これを解決するものである。
【課題を解決するための手段】
【０００４】  本考案は、閂の一端は現在一般的に普及し利用されている形状であるが、閂の他の一端に額縁形状の咬合部又は突起部を設け、これに咬み合わせ可能な突起部品又は額縁形状の咬合部品を扉内側の天板に取り付け、一操作で同時に相対する２ケ所の施錠が可能となったので、構造の簡素化と部品数の低減となり課題を解決した。
【考案の効果】
【０００５】  構造を簡素化したことにより、省資源化と費用の低減及び取付けを省力化することができる。又供用中の扉にも容易に取付可能で、簡単な一操作のみで施錠が可能となるため、閉扉の度毎に別途施錠する手数を要せず、閉扉時を常に施錠状態に保つことが容易になり激震時等にも衝撃で扉が開くのを防ぎ、扉内の物品の飛散を防止しすることができるため防災対策として役立つ。
【考案の実施するための最良の形態】
【０００６】  供用中の食器棚扉内側の蝶番取付側と反対側の縦枠に、本考案の咬合部付閂を、天板に咬合部品・底板に閂端末を受け入れる落し込み部品を取付けることにより、通常の開閉動作を行うことのみで、扉の施錠ができ激震時等に食器の飛び出しや、その破損礫による傷害を防ぐことができる。
【実施例】
【０００７】  添付図面に従って実施例を説明する。７を扉の外側６を扉内側に装着する。１を施解錠に適した長さに合わせて、６の２本のアームの間に挾まれる位置に４を用いて扉の内側に取付ける。６の位置に合わせて９を１に取付ける、２と３を閉扉時の１の位置に合わせて戸棚の天板及び底板に取付けることにより、７をを引けば解錠開扉、押せば閉扉施錠する
【実施例】
【０００８】  現在殆どの家庭や飲食店などでは、常時扉をロックしない状態で食器棚を使っているが前項【０００７】に従って食器棚の扉に本閂を装着することにより、開扉時以外は扉を締める動作のみで常に施錠状態となるので、突然の激震等衝撃の発生時に扉が開くことなく収容物の飛び出しを防止するので防災対策として有効である。（扉がガラス入りの場合併せてガラス部分に破損防止措置を施すことが望ましい）
【図面の簡単な説明】
【０００９】
【図１】本考案の閂を取付けた施錠時の側面図、閂取付時の正面図  解錠時の側面図及び咬合部品の平面図である。
【図２】滑車誘導金具拡大見取図である。
【図３】閂の片端額縁形状の咬合部と突起部品の拡大見取図である。
【図４】閂の片端突起状咬合部と額縁形状部品の拡大見取図である。
【図５】滑車取付金具の側面図・正面図・断面図である。
【図１】
0003113375.tif 000003
【図２】
0003113375.tif 000004
【図３】
0003113375.tif 000005
【図４】
0003113375.tif 000006
【図５】
0003113375.tif 000007